(57)【要約】【課題】限定された面積内における根菜類の大量生産及び高所作業を不要とすることができる栽培装置を提供する。【解決手段】根菜１００は横向き延びるので、上下方向に大きな空間を確保する必要はなく、限られた面積に多数の保持筒１０、１０、・・・、１０を上下に積層し、根菜１００を大量生産することができる。また栽培装置の高さが低くとも、例えば作業者の身長と同程度の高さであっても多数の保持筒１０を積層させることができ、高所作業は不要となる。【選択図】図２
2014045677.tif 000002
【特許請求の範囲】
【請求項１】
植物を栽培する培地を保持する保持筒と、該保持筒を挿入支持する支持穴を有する支持部とを備える栽培装置において、
前記支持穴の軸心方向は横向きであり、
前記培地及び保持筒の内周面の間に配置してあり、前記保持筒の一端側に頂点を向けた錐状をなすように巻回された保水シートと、
前記保持筒の一端側に配置され、養液を供給する養液供給手段と、
前記保持筒の他端側に配置された光源と
を備えることを特徴とする栽培装置。
【請求項２】
複数の前記保持筒が前記養液供給手段を中心にして放射状に並設してあり、
放射状に並設された前記複数の保持筒の外側に前記光源を配置してあること
を特徴とする請求項１に記載の栽培装置。
【請求項３】
前記保持筒を回転移動させる手段を備え、
前記光源は前記保持筒の移動経路の一部に臨ませて配置してあること
を特徴とする請求項２の記載の栽培装置。
【請求項４】
前記養液供給手段は、
養液を貯留する貯留部と、
該貯留部の養液を移送するポンプと、
該ポンプにて移送された養液を噴射するノズルと、
該ノズルから噴射された養液を回収する回収手段と
を有することを特徴とする請求項１から３のいずれか一つに記載の栽培装置。
【請求項５】
前記保持筒は前記養液供給手段側に下降傾斜しており、
前記保持筒の一端部は前記支持部から突出しており、
前記回収手段は、前記保持筒の一端部の下方に配された回収皿を有すること
を特徴とする請求項４に記載の栽培装置。
【請求項６】
前記保持筒は軸長方向に沿って分割可能に構成してあること
を特徴とする請求項１から５のいずれか一つに記載の栽培装置。
【発明の詳細な説明】
【技術分野】
【０００１】
本発明は、培地に植設した植物を栽培する栽培装置に関する。
【背景技術】
【０００２】
室内で植物を養液栽培する栽培装置を備える植物工場は、養液量、光照射量、温度及び湿度等の栽培条件を最適化して効率的な栽培を行うことができ、また土を使用せず病害虫対策が不要であり、無農薬又は減農薬で栽培を行うことができることから近年注目を集めている。
【０００３】
植物工場においては、スポンジ又はロックウール等の人工培地に植物を支持し、枝葉が延びる側に光源を配置し、根が延びる側に養液を供給して植物の栽培が行われ、一般にレタス、ほうれん草等の葉菜類又はトマト、なす等の果菜類の栽培が行われている。
【０００４】
また大根、人参、ゴボウ等の根菜類は葉菜類及び果菜類に比べて薬効成分が豊富であることから需要が高く、効率的な栽培が望まれており、近年では根菜類の栽培にも栽培装置を適用する試みがなされている（例えば特許文献１参照）。
【０００５】
特許文献１には、支持体に上下に貫通した支持穴を開設し、無菌処理した土（培地）を収容する円錐形の栽培ユニットを支持穴に挿入して支持し、根菜類を栽培する栽培装置が開示してある。
【０００６】
この栽培装置は支持体の下側（根が延びる側）にミスト状の養液を供給し、支持体の上側（枝葉が延びる側）に光を照射して、根菜類の成長に応じて培地を補充し、効率の良い根菜類の栽培を実現している。
【先行技術文献】
【特許文献】
【０００７】
【特許文献１】特開２００５―１９８５３７号公報
【発明の概要】
【発明が解決しようとする課題】
【０００８】
しかし特許文献１に記載の栽培装置は、栽培している根菜類の主根が肥大して下方に延びるため、支持体の下側に大きな空間を確保し、また支持体の上側には光源を配置する空間を確保する必要がある。
【０００９】
また限定された面積内での大量生産の欲求に応えるために、支持板及び栽培ユニットを上下に積層させる必要があるが、積層には限界があり、大量生産の実現は難しい。
【００１０】
また支持板及び栽培ユニットを積層した場合、手入れ及び収穫作業等のために高所での作業が必要となり、作業者の負担が重い。
【００１１】
本発明は斯かる事情に鑑みたものであり、限定された面積内における根菜類の大量生産に対応でき、また高所作業を不要とすることができる栽培装置を提供することを目的とする。
【課題を解決するための手段】
【００１２】
本発明に係る栽培装置は、植物を栽培する培地を保持する保持筒と、該保持筒を挿入支持する支持穴を有する支持部とを備える栽培装置において、前記支持穴の軸心方向は横向きであり、前記培地及び保持筒の内周面の間に配置してあり、前記保持筒の一端側に頂点を向けた錐状をなすように巻回された保水シートと、前記保持筒の一端側に配置され、養液を供給する養液供給手段と、前記保持筒の他端側に配置された光源とを備えることを特徴とする。
【００１３】
本発明においては、根菜は横向きに延びるので、上下方向に大きな空間を確保する必要はない。また限られた高さでも多数の保持筒が積層される。また養液は保水シートに保持され、根菜は保水シートに保持された養液を吸収して成長する。保水シートは一縁部を捩られて錐状になるように巻回され、根菜の周面に沿って配置される。
【００１４】
本発明に係る栽培装置は、複数の前記保持筒が前記養液供給手段を中心にして放射状に並設してあり、放射状に並設された前記複数の保持筒の外側に前記光源を配置してあることを特徴とする。
【００１５】
本発明においては、養液供給手段を中心にして保持筒を放射状に並設し、外側に光源を配置し、保持筒を積層配置する。
【００１６】
本発明に係る栽培装置は、前記保持筒を回転移動させる手段を備え、前記光源は前記保持筒の移動経路の一部に臨ませて配置してあることを特徴とする。
【００１７】
本発明においては、保持筒を回転移動させて、各保持筒に保持された根菜に養液及び光を順次供給する。
【００１８】
本発明に係る栽培装置は、前記養液供給手段は、養液を貯留する貯留部と、該貯留部の養液を移送するポンプと、該ポンプにて移送された養液を噴射するノズルと、該ノズルから噴射された養液を回収する回収手段とを有することを特徴とする。
【００１９】
本発明においては、ポンプによって移送された養液を根菜に噴射し、噴射された養液を回収して再利用する。
【００２０】
本発明に係る栽培装置は、前記保持筒は前記養液供給手段側に下降傾斜しており、前記保持筒の一端部は前記支持部から突出しており、前記回収手段は、前記保持筒の一端部の下方に配された回収皿を有することを特徴とする。
【００２１】
本発明においては、保水シートに吸収されなかった養液を回収皿に流下させる。
【００２２】
本発明に係る栽培装置は、前記保持筒は軸長方向に沿って分割可能に構成してあることを特徴とする。
【００２３】
本発明においては、保持筒を軸長方向に沿って分割し、根菜を収穫する。
【発明の効果】
【００２４】
本発明に係る栽培装置にあっては、根菜は横向きに延びるので、上下方向に大きな空間を確保する必要はなく、限られた面積に多数の保持筒を上下に積層し、根菜を大量生産することができる。また限られた高さでも多数の保持筒を積層させることができ、高所作業は不要となる。また保水シートは一縁部を捩られて錐状になるように巻回され、根菜の周面に沿って配置されるので、捩った部分を拡げながら、成長する根菜に養分を供給することができる。養液は保水シートに保持され、根菜は保水シートに保持された養液を吸収して成長することができる。
【図面の簡単な説明】
【００２５】
【図１】実施の形態１に係る栽培装置の略示平面図である。
【図２】図１に示すＩＩ―ＩＩ線を切断線とした略示側面断面図である。
【図３】支持棚及び保持筒の略示縦断面図である。
【図４】保持筒への保水シート及び培地の挿入手順を説明する説明図である。
【図５】保持筒への保水シート及び培地の挿入手順を説明する説明図である。
【図６】栽培装置の制御部周りの構成を示すブロック図である。
【図７】制御部による栽培装置の駆動制御を説明するフローチャートである。
【図８】第１の変更形態を略示する側面断面図である。
【図９】第２の変更形態に係る保持筒を略示する断面図である。
【図１０】実施の形態２に係る栽培装置の略示斜視図である。
【図１１】図１０に示すＸＩ―ＸＩ線を切断線とした略示側面断面図である。
【図１２】支持壁の下部付近を略示する部分拡大断面図である。
【図１３】保持筒への保水シート及び培地の挿入手順を説明する説明図である。
【図１４】保持筒への保水シート及び培地の挿入手順を説明する説明図である。
【発明を実施するための形態】
【００２６】
（実施の形態１）
以下本発明を実施の形態１に係る栽培装置を示す図面に基づいて詳述する。図１は栽培装置の略示平面図、図２は図１に示すＩＩ―ＩＩ線を切断線とした略示側面断面図である。
【００２７】
栽培装置は上下に並設された複数の支持棚１、１、・・・、１を備え、該支持棚１は横向きに対向する二つの支持穴１ａ、１ａを備える。複数の支持棚１、１、・・・、１の上下から支持板２、２がそれぞれ突出しており、該支持板２の突出端部にはローラ台３及び該ローラ台３に回転可能に支持されたローラ４が設けてある。
【００２８】
栽培装置は、上下に対向配置された環状をなす二つのレール台６、６と、該レール台６、６の対向面に配してあり、凹部を備える環状のレール５、５とを更に備える。上側のレール５は下部に凹部を形成してあり、下側のレール５は上部に凹部を形成してある。
【００２９】
前述した各ローラ４は各レール５の凹部に回転可能に嵌合しており、支持棚１はレール５に沿って周方向に移動し、レール５は支持棚１の移動経路をなす。環状をなす移動経路の径方向外側に光源３０が設けてあり、該光源３０は移動経路の一部に臨ませてある。支持棚１には駆動源８（後述する図６参照）から動力が伝達し、駆動源８の動力によって支持棚１は周方向に移動する。
【００３０】
環状をなすレール台６の内側には養液を供給する養液供給部２０が設けてある。養液供給部２０は、養液を貯留するタンク２１と、該タンク２１の養液を移送するポンプ２２とを備える。ポンプ２２はタンク２１の上方に位置し、揚水管２３を介してタンク２１に連結している。ポンプ２２の吐出側には、横方向及び上下方向に延びたＬ形の吐出管２４が接続している。吐出管２４における横方向に延びた部分の端部はポンプ２２に接続してあり、吐出管２４における上下方向に延びた部分の端部は下方に向けてある。
【００３１】
吐出管２４の下方に延びた部分には、前述した各支持棚１、１、・・・、１の上下位置に対応するように、複数のノズル２５、２５、・・・、２５が上下に並設してある。ノズル２５は、支持棚１の支持穴１ａに対向する噴射口を有する。ノズル２５の下方には、ノズル２５から噴射した養液を回収する回収皿２６が設けてあり、該回収皿２６は戻し管２７を介してタンク２１に接続されている。回収皿２６に回収された養液は、養液の成分を調整する調整部（不図示）を通って、回収ポンプ２８（後述する図６参照）によってタンク２１に戻る。
【００３２】
図３は支持棚１及び保持筒１０の略示縦断面図である。支持棚１の内側には、養液供給部２０側に下降傾斜した細長い円筒形の収容室１ｂが形成してあり、該収容室１ｂの両端に支持穴１ａ、１ａが設けてある。両端に開口を有する円筒形の保持筒１０が支持穴１ａを通して収容室１ｂに収容してあり、収容室１ｂに沿って養液供給部２０側に下降傾斜している。保持筒１０における養液供給部２０側の端部は支持棚１から突出しており、回収皿２６の上方に位置する。
【００３３】
保持筒１０の内側には養液を保持する保水シート１１が設けてある。保水シート１１は保水性及び通気性に優れた素材からなり、養液供給部２０側を頂点とした錐状をなすように巻回してある。保水シート１１における養液供給部２０の反対側に培地１２が設けてある。培地１２は保水シート１１の内側に配してあり、培地１２には根菜１００が植設してある。
【００３４】
根菜１００の主根１０１はその周囲を保水シート１１に覆われ、保水シート１１を拡げながら培地１２から養液供給部２０側に延びることができる。主根１０１の周面から延びたひげ根１０２は保水シート１１に到達し、養液を吸収することができる。
【００３５】
次に保持筒１０への保水シート１１及び培地１２の挿入手順を説明する。図４及び図５は保持筒１０への保水シート１１及び培地１２の挿入手順を説明する説明図である。矩形状をなす保水シート１１（図４Ａ参照）の一縁部を捩り、錐状をなすように巻回する（図４Ｂ参照）。巻回した保水シート１１を頂部側から保持筒１０の一方の開口に挿入する（図４Ｃ参照）。
【００３６】
そして根菜１００の苗を植設した培地１２を前記開口から保持筒１０内に挿入し（図５Ｄ参照）、錐状をなす保水シート１１の内側に位置させる（図５Ｅ参照）。培地１２は保持筒１０と略同じ内径を有する円柱形をなし、保水シート１１の内側にて係止する。培地１２の軸長方向寸法は保持筒１０よりも短く、培地１２は保持筒１０の端部に位置する。なお培地１２を押し込んで保持筒１０の中途部に位置させてもよい。
【００３７】
図６は栽培装置の制御部周りの構成を示すブロック図である。栽培装置は制御部５０を備えており、制御部５０はＣＰＵ５１(Central Processing Unit)、ＲＡＭ５２(Random Access Memory)、記憶部５３及び入出力インタフェース５４（入出力Ｉ／Ｆ）を有している。記憶部５３は例えばＥＥＰＲＯＭ(Electoric Erasable Programmable Read Only Memory)又はフラッシュメモリから構成される。
【００３８】
制御部５０は、入出力Ｉ／Ｆ５４を介して、支持棚１に動力を供給する駆動源８、ポンプ２２及び回収皿２６に回収された養液をタンク２１に戻す回収ポンプ２８に駆動信号を出力する。制御部５０は記憶部５３に記憶した制御プログラムをＲＡＭ５２に読出し、栽培装置の駆動を制御する。
【００３９】
図７は制御部５０による栽培装置の駆動制御を説明するフローチャートである。
制御部５０は駆動源８に駆動信号を出力し（ステップＳ１）、支持棚１をノズル２５に対向する位置まで移動させる。そしてポンプ２２に駆動信号を出力し（ステップＳ２）、支持棚１に収容してある保持筒１０に所定時間養液を噴射する。
【００４０】
噴射された養液は保水シート１１に浸潤し、保水シート１１全体に保持される。保水シート１１に保持されなかった養液は、収容室１ｂの傾斜によって養液供給部２０側に流下し、回収皿２６に回収される。制御部５０は回収ポンプ２８に駆動信号を出力し（ステップＳ３）、回収皿２６に回収された養液を戻し管２７を介してタンク２１に戻す。そして所定時間経過するまで待機し（ステップＳ４）、ステップＳ１に処理を戻す。
【００４１】
なおステップＳ４における所定時間は、養液の流下が収まるまでの時間又は根菜１００の葉に光を照射する時間等を考慮して適宜設定される。
【００４２】
実施の形態１に係る栽培装置にあっては、根菜１００は横向きに延びるので、上下方向に大きな空間を確保する必要はなく、限られた面積に多数の保持筒１０を上下に積層し、根菜１００を大量生産することができる。また栽培装置の高さが低くとも、例えば作業者の身長と同程度の高さであっても多数の保持筒１０を積層させることができ、高所作業は不要となる。
【００４３】
また保水シート１１は一縁部を捩られて錐状になるように巻回され、根菜１００の周面に沿って配置されるので、捩った部分を拡げながら、成長する根菜１００に養分を供給することができる。養液は保水シート１１に保持され、根菜１００は保水シート１１に保持された養液を吸収して成長することができる。
【００４４】
また養液供給部２０を中心にして保持筒１０を放射状に並設し、径方向外側に光源３０を配置して、保持筒１０を積層配置し、多数の保持筒１０を設置することができる。根菜１００の枝葉側に光源３０が配置されるので、根菜１００の光合成を促進させることができ、また根が延びる側から養液が噴射されるので根菜１００の根が養分を確実に吸収することができる。また光源３０は保持筒１０の移動経路の一部に臨ませて設置してあるので、光源３０側を昼とし、光源３０と反対側を夜として太陽の運行に合わせた環境を造り出し、根菜１００の品質向上を図ることができる。
【００４５】
また保持筒１０を周方向に移動させて、各保持筒１０に保持された根菜１００に養液及び光を順次供給するので、根菜１００を短期間で効率よく成長させることができる。また噴射された養液は回収され再利用されるので、養液を無駄なく使用することができる。
【００４６】
なおロボットハンドにて保持筒１０を把持する構成とし、保持筒１０にロボットハンドが把持するための突起を設けてもよい。この場合、ロボットハンドによって保持筒１０の支持棚１への挿入及び支持棚１からの取り出しが行われる。また支持棚１の内周面は傾斜しているが水平であってもよい。
【００４７】
レール５及びレール台６は環状に形成されていればよく、円形に限定されない。例えば楕円形に形成してもよい。また保持筒１０の内周面を養液供給部２０に向けて下降傾斜させてもよい。
【００４８】
図８は第１の変更形態を略示する側面断面図である。吐出管２４は、横方向に延びた部分の中途に蛇腹部２４ａを有している。吐出管２４における上下方向に延びた部分には、支持棚１に向けて突出した複数の分岐管２４ｂ、２４ｂ、・・・、２４ｂが上下に並設してある。各分岐管２４ｂの先端にはノズル２５が取り付けてある。ノズル２５は支持棚１に支持された各保持筒１０の端部に対向している。
【００４９】
図示しない駆動部の駆動によって吐出管２４は横向きに移動することができる。吐出管２４が支持棚１側に移動した場合、ノズル２５は保持筒１０内に進入する。このときノズル２５は保水シート１１から離隔している。ポンプ２２を駆動することによって、ノズル２５から保水シート１１に養液が供給される。吐出管２４がポンプ２２側に移動した場合、ノズル２５は保持筒１０内から退出する。
【００５０】
制御部５０は図示しない前記駆動部に駆動信号を出力し、吐出管２４を移動させてノズル２５を保持筒１０内に進入させ、養液を保水シート１１に供給する。養液の供給終了後、ノズル２５を保持筒１０内から退出させる。
【００５１】
第１の変更形態にあってはノズル２５を保持筒１０内に進入させて、養液供給を確実に行うことができ、養液供給終了後はノズル２５を保持筒１０から退出させて不要な養液供給を回避することができる。
【００５２】
またノズル２５が保水シート１１に接触した場合、ノズル２５から噴射されていなくても毛細管現象によってノズル２５内の養液が保水シート１１に吸収され、養液の供給量を調整することが難しくなるが、第１の変更形態にあっては、保持筒１０内にノズル２５が進入しても、ノズル２５は保水シート１１から離隔しているので、このような問題は生じない。
【００５３】
図９は第２の変更形態に係る保持筒１０を略示する断面図である。円筒形をなす保持筒１０は、軸長方向に沿った合わせ面１０ｃ、１０ｃを有する半円筒形の保持筒半体１０ａを二つ備えている。保持筒半体１０ａは合わせ面の近傍に二つの凹部１０ｂ、１０ｂを備えている。
【００５４】
二つの保持筒半体１０ａは互いの合わせ面１０ｃ、１０ｃを突き合わせてある。断面コの字形の二つの連結部材１０ｄ、１０ｄが、その両端部を各保持筒半体１０ａ、１０ａの凹部１０ｂ、１０ｂに嵌合させて保持筒半体１０ａ、１０ａを連結している。
【００５５】
第２の変更形態にあっては成長した根菜１００を収穫する場合、連結部材１０ｄを保持筒半体１０ａから取り外して保持筒１０を軸長方向に沿って分割し、根菜１００を取り出すことができるので、根菜１００を保持筒１０から引き抜く場合に比べて収穫作業の負担を軽減させることができる。
【００５６】
なお二つの保護筒半体１０ａ、１０ａは、一方の合わせ面１０ｃ側にヒンジを設け、他方の合わせ面１０ｃ側のみを連結部材１０ｄで連結してもよい。この場合合わせ面１０ｃの位置を容易に整合させることができ、保護筒１０を速やかに組み立てることができる。
【００５７】
（実施の形態２）
以下本発明を実施の形態２に係る栽培装置を示す図面に基づいて詳述する。図１０は栽培装置の略示斜視図、図１１は図１０に示すＸＩ―ＸＩ線を切断線とした略示側面断面図、図１２は支持壁の下部付近を略示する部分拡大断面図である。なお図１１において培地１０、保水シート１１及び根菜１００の記載を省略してある。
【００５８】
栽培装置は、保持筒１０を支持する円筒形の支持壁６０を備える。支持壁６０には、複数の支持穴６０ａ、６０ａ、・・・、６０ａが千鳥配置してある。各支持穴６０ａには保持筒１０が挿入してある。
【００５９】
支持壁６０の下端部から連結環６１が突出している。該連結環６１の突出端部に、ローラ６３を支持する支持面を下側に有するローラ板６２が設けてある。ローラ板６２の支持面には、連結環６１の径方向を回転軸方向としたローラ６３が設けてある。
【００６０】
ローラ６３の下方に環状のレール６４が設けてあり、該レール６４はローラ６３に対向する位置に環状溝部を有する。ローラ６３は環状溝部に回転可能に嵌合している。なお支持壁６０の外側に、支持壁６０の移動経路の一部に臨ませて光源３０（図示省略）を配置してある。
【００６１】
ローラ板６２から径方向内向きに、内周面にギヤを形成した円環ギヤ部６５が突出している。レール６４の内側に上下方向を回転軸方向としたモータ６６が設けてある。該モータ６６の回転軸には上下方向を軸長方向としたギヤ６７が設けてあり、該ギヤ６７は円環ギヤ６５に噛合している。
【００６２】
モータ６６の回転はギヤ６７及び円環ギヤ６５に伝達し、ローラ６３がレール６４の環状溝部を移動して、支持壁６０が回転移動する。
【００６３】
養液供給部２０はタンク２１の上方に位置する上部タンク２８を備えており、揚水管２３によってタンク２１及び上部タンク２８を連結している。揚水管２３にはタンク２１に貯留した養液を上部タンク２８に送出する揚水ポンプ２９ａが介装してある。
【００６４】
上部タンク２８には吐出管２４が接続してあり、吐出管２４には上部タンク２８に貯留した養液をノズル２５に供給する給液ポンプ２９ｂが介装してある。揚水ポンプ２９ａの駆動によってタンク２１から上部タンク２８に養液が送出され、貯留する。給液ポンプ２９ｂの駆動によって、上部タンク２８内の養液が吐出管２４を圧送され、ノズル２５から噴射される。
【００６５】
図１１に示すように、一のノズル２５の噴射口が保持筒１０に対向している場合、これの隣に位置する他のノズル２５の噴射口が保持筒１０に対向しないように、ノズル２５は上下方向に並んでいる。なお支持壁６０が回転し、他のノズル２５の噴射口が保持筒１０に対向した場合、一のノズル２５の噴射口は保持筒１０に対向しない。ノズル２５には図示しない電磁弁が設けてあり、適宜開閉するようにしてある。
【００６６】
制御部５０は、入出力Ｉ／Ｆ５４を介して、揚水ポンプ２９ａ、給液ポンプ２９ｂ、モータ６６及び前述した電磁弁に信号を出力する。制御部は５０はモータ６６を回転させて、一のノズル２５を保持筒１０に対向させる。このとき一のノズル２５の隣に位置する他のノズル２５は、保持筒１０に対向しない。
【００６７】
そして一のノズル２５の電磁弁を開き、揚水ポンプ２９ａ及び給液ポンプ２９ｂを所定時間駆動させて、養液を保持筒１０に向けて噴射する。なお他のノズル２５の電磁弁は閉じており、他のノズル２５からは養液は噴射されない。そして所定時間経過後、モータ６６を回転させて、他のノズル２５を保持筒１０に対向させて、上記動作を繰り返す。
【００６８】
図１３及び図１４は保持筒１０への保水シート１１及び培地１２の挿入手順を説明する説明図である。まず矩形状をなす保水シート１１を例えば３重の円筒になるように丸め（図１３Ａ参照）、丸めた円筒の一端部を保持した状態で他端部を捩り、錐状に形成する（図１３Ｂ参照）。錐状の保水シート１１を頂部側から保持筒１０の一方の開口に挿入する（図１３Ｃ参照）。そして根菜１００の苗を植設した培地１２を前記開口から保持筒１０内に挿入し（図１４Ｄ参照）、錐状をなす保水シート１１の内側に位置させる。
【００６９】
実施の形態２に係る栽培装置にあっては、根菜１００は横向きに延びるので、上下方向に大きな空間を確保する必要はなく、限られた面積に多数の保持筒１０を上下に積層し、根菜１００を大量生産することができる。また栽培装置の高さが低くとも、例えば作業者の身長と同程度の高さであっても多数の保持筒１０を積層させることができ、高所作業は不要となる。
【００７０】
また保水シート１１は錐状に形成され、根菜１００の周面に沿って配置されるので、捩った部分を拡げながら、成長する根菜１００に養分を供給することができる。養液は保水シート１１に保持され、根菜１００は保水シート１１に保持された養液を吸収して成長することができる。
【００７１】
実施の形態２に係る栽培装置の構成の内、実施の形態１と同様な構成については同じ符号を付し、その詳細な説明を省略する。
【００７２】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００７３】
１  支持棚（支持部）
１ａ  支持穴
１０  保持筒
１１  保水シート
２０  養液供給部（養液供給手段）
２１  タンク（貯留部）
２２  ポンプ
２５  ノズル
２６  回収皿（回収手段）
２７  戻し管（回収手段）
２８  回収ポンプ（回収手段）
３０  光源
６０  支持壁（支持部）
６０ａ  支持穴
【図１】
2014045677.tif 000003
【図２】
2014045677.tif 000004
【図３】
2014045677.tif 000005
【図４】
2014045677.tif 000006
【図５】
2014045677.tif 000007
【図６】
2014045677.tif 000008
【図７】
2014045677.tif 000009
【図８】
2014045677.tif 000010
【図９】
2014045677.tif 000011
【図１０】
2014045677.tif 000012
【図１１】
2014045677.tif 000013
【図１２】
2014045677.tif 000014
【図１３】
2014045677.tif 000015
【図１４】
2014045677.tif 000016